(57)【特許請求の範囲】
【請求項１】
コンテンツ媒体の種類を判別するコンテンツ媒体判別ステップと、
再生装置が再生可能なファイルを検索抽出する前に、該判別されたコンテンツ媒体の種類に応じて、該コンテンツ媒体に蓄積されているファイルを再生するための所望のファイルの種類の選択を受け付けるファイル種別受付ステップと、
選択された種類のファイルを検索して抽出するファイル抽出ステップとを有することを特徴とする再生装置におけるファイル選択方法。
【請求項２】
コンテンツ媒体が所定の種類であるか否かを判別するコンテンツ媒体判別ステップと、
再生装置が再生可能なファイルを検索抽出する前に、該判別されたコンテンツ媒体が所定の種類ではないと判別された場合に、該コンテンツ媒体に蓄積されているファイルを再生するための所望のファイルの種類の選択を受け付けるファイル種別受付ステップと、
選択された種類のファイルを検索して抽出するファイル抽出ステップとを有することを特徴とする再生装置におけるファイル選択方法。
【請求項３】
複数の異なった種類のファイルを蓄積可能なコンテンツ媒体を再生する再生手段と、
上記コンテンツ媒体の種類を判別するコンテンツ媒体判別手段と、
上記再生手段が上記コンテンツ媒体に蓄積されているファイルを再生する前に、再生するための所望のファイルの種類を選択するファイル種別選択手段と、
上記コンテンツ媒体判別手段により判別された上記コンテンツ媒体の種類に応じて、上記ファイル種別選択手段による所望のファイルの種類の選択を受け付けるように制御する制御手段と、を備え、
上記再生手段は、上記ファイル種別選択手段により特定された種類のファイルを検索して抽出することを特徴とする再生装置。
【請求項４】
上記コンテンツ媒体判別手段は、上記コンテンツ媒体上にコンテンツが所定の形式で記録されているか否かを判別することを特徴とする請求項３に記載の再生装置。
【請求項５】
上記制御手段は、異なる種類のデータを混在して記録される上記コンテンツ媒体であると判別される場合に、上記ファイル種別選択手段による所望のファイルの種類の選択を受け付けるように制御することを特徴とする請求項３に記載の再生装置。
【請求項６】
少なくとも映像のファイルと音声のファイルを蓄積可能な光ディスクを再生する再生手段と、
上記光ディスクが所定の種類であるか否かを判別する光ディスク判別手段と、
上記再生手段が上記光ディスクに蓄積されている映像のファイル又は音声のファイルを再生する前に、再生するための映像のファイル又は音声のファイルを選択するファイル種別選択手段と、
上記光ディスク判別手段により判別された上記光ディスクが所定の種類ではないと判別された場合に、上記ファイル種別選択手段による所望のファイルの種類の選択を受け付けるように制御する制御手段とを備え、
上記再生手段は、上記ファイル種別選択手段により特定された映像のファイル又は音声のファイルを検索して抽出することを特徴とする再生装置。
【発明の詳細な説明】
【０００１】
【発明の属する技術分野】
本発明は、再生装置におけるファイル選択方法及び再生装置に関し、詳しくは、複数の異なった種類のコンテンツ媒体、例えば、光ディスクが存在する場合に、当該光ディスクに存在するファイルをアクセスする前に、所望のファイルの種類を指定することにより、ファイルを展開するメモリの有効利用及び再生に到るまでの処理時間を短縮できるようにした再生装置におけるファイル選択方法及び再生装置に関する。
【０００２】
【従来の技術】
従来技術における光デイスク等のコンテンツ媒体において、例えば、▲１▼画像と音声など複数の種類の再生可能なファイルが存在し、その中から任意のファイルをユーザが選択する場合、従来は全ての種類の再生可能なファイルを検索抽出したうえでユーザにファイルを選択させていた。
【０００３】
具体的に示すと、図５に示すように、先ず、ファイルを選択する前に、種類１のファイルの検索抽出を行ない（ステップＳＴ４１）、次に、種類２のファイルの検索抽出を行ない（ステップＳＴ４２）、次に、種類３のファイルの検索抽出を行ない（ステップＳＴ４３）、次に、種類４のファイルの検索抽出を行ない（ステップＳＴ４４）、全ての種類のファイルを検索した後に、ユーザに選択させ、選択されたファイルが再生されることになる。
【０００４】
又、別の方法として、▲２▼再生装置の初期設定とした予め優先的に再生するファイルの種類を設定しておき、その設定に従ってファイルの検索抽出を行う手法が周知である。
【０００５】
【発明が解決しようとする課題】
しかしながら、従来技術で説明したユーザが任意のファイルを選択する場合に、上記▲１▼に示す手法であると、ファイルの検索抽出にかかる時間は、（画像ファイルの検索抽出時間＋音声ファイルの検索抽出時間）となり、例えば、ユーザが音声ファイルを再生したい場合でも、画像ファイルを検索抽出する時間を含めて待たされることになり、結果として所望のファイルを検索抽出するのに時間がかかってしまうという問題がある。
【０００６】
上記▲２▼に示す手法では、例えば、画像ファイルを優先設定していた場合、ユーザが画像ファイルを再生したい場合は、ユーザは画像ファイルの検索抽出時間のみ待たされるだけだが、音声ファイルを再生した場合は、（画像ファイルの検索抽出時間＋音声ファイルの検索抽出時間）ぶんだけ待たされてしまうという問題がある。
【０００７】
従って、ユーザが再生することを望んでいないファイルを検索抽出するための時間までユーザを待たせることなく迅速に所望のファイルを検索抽出できる手法及び装置に解決しなければならない課題を有する。
【０００８】
【課題を解決するための手段】
上記課題を達成するために、本発明に係る再生装置におけるファイル選択方法及び再生装置は、次に示す構成にすることである。
【０００９】
（１）  コンテンツ媒体の種類を判別するコンテンツ媒体判別ステップと、
再生装置が再生可能なファイルを検索抽出する前に、該判別されたコンテンツ媒体の種類に応じて、該コンテンツ媒体に蓄積されているファイルを再生するための所望のファイルの種類の選択を受け付けるファイル種別受付ステップと、
選択された種類のファイルを検索して抽出するファイル抽出ステップとを有することを特徴とする再生装置におけるファイル選択方法。
【００１０】
（２）  コンテンツ媒体が所定の種類であるか否かを判別するコンテンツ媒体判別ステップと、再生装置が再生可能なファイルを検索抽出する前に、該判別されたコンテンツ媒体が所定の種類ではないと判別された場合に、該コンテンツ媒体に蓄積されているファイルを再生するための所望のファイルの種類の選択を受け付けるファイル種別受付ステップと、選択された種類のファイルを検索して抽出するファイル抽出ステップとを有することを特徴とする再生装置におけるファイル選択方法。
【００１１】
（３）複数の異なった種類のファイルを蓄積可能なコンテンツ媒体を再生する再生手段と、上記コンテンツ媒体の種類を判別するコンテンツ媒体判別手段と、上記再生手段が上記コンテンツ媒体に蓄積されているファイルを再生する前に、再生するための所望のファイルの種類を選択するファイル種別選択手段と、上記コンテンツ媒体判別手段により判別された上記コンテンツ媒体の種類に応じて、上記ファイル種別選択手段による所望のファイルの種類の選択を受け付けるように制御する制御手段と、を備え、
上記再生手段は、上記ファイル種別選択手段により特定された種類のファイルを検索して抽出することを特徴とする再生装置。
（４）上記コンテンツ媒体判別手段は、上記コンテンツ媒体上にコンテンツが所定の形式で記録されているか否かを判別することを特徴とする（３）に記載の再生装置。
（５）上記制御手段は、異なる種類のデータを混在して記録される上記コンテンツ媒体であると判別される場合に、上記ファイル種別選択手段による所望のファイルの種類の選択を受け付けるように制御することを特徴とする（３）に記載の再生装置。
【００１２】
（６）  少なくとも映像のファイルと音声のファイルを蓄積可能な光ディスクを再生する再生手段と、上記光ディスクが所定の種類であるか否かを判別する光ディスク判別手段と、上記再生手段が上記光ディスクに蓄積されている映像のファイル又は音声のファイルを再生する前に、再生するための映像のファイル又は音声のファイルを選択するファイル種別選択手段と、上記光ディスク判別手段により判別された上記光ディスクが所定の種類ではないと判別された場合に、上記ファイル種別選択手段による所望のファイルの種類の選択を受け付けるように制御する制御手段とを備え、
上記再生手段は、上記ファイル種別選択手段により特定された映像のファイル又は音声のファイルを検索して抽出することを特徴とする再生装置。
【００１３】
【発明の実施の形態】
次に、本発明に係る再生装置におけるファイル選択方法及び再生装置の実施形態について、図面を参照して説明する。
【００１４】
本願発明に係る再生装置におけるファイル選択方法を具備した再生装置は、図１に示すように、光ディスクを再生することができる光ディスク再生装置１１に適用することができるのであり、その構造は、箱型形状に形成された本体からなり、光ディスクを装着する光ディスク装着部１２と、その装着した状態を表示する表示部１３と、光ディスク等の操作をする操作ボタン１４、及び動作を示すランプ１５、及びメモリカード１６を装着するメモリカード装着部１７と、各部の制御及び本願発明の複数の異なった種類のファイルを選択する手段を備えた制御部１８を内部に収容した構成になっている。
【００１５】
光ディスクは、ＣＤ（Ｃｏｍｐａｃｔ  Ｄｉｓｃ）やＤＶＤ（Ｄｉｇｉｔａｌ  Ｖｅｒｓａｔｉｌｅ  Ｄｉｓｃ）であり、ＣＤは、記録媒体のひとつで、樹脂製の円盤にピットと呼ばれる極めて細い凹凸を刻んでデジタルデータを書き込み、レーザー光を照射して反射光を読取ることでデータを再生する。このＣＤには、一度だけ書き込める追記型のＣＤ−Ｒ（Ｃｏｍｐａｃｔ  Ｄｉｓｃ  Ｒｅｃｏｒｄａｂｌｅ）や何度も書き込み／消去を行えるＣＤ−ＲＷ（Ｃｏｍｐａｃｔ  Ｄｉｓｋ  ＲｅＷｒｉｔａｂｌｅ）、ＣＤ−ＲＯＭが存在する。
【００１６】
又、このＣＤには、映像と音楽を記録するための規格、映像はＭＰＥＧ−１方式で圧縮して記録してなるＶＣＤ（Ｖｉｄｅｏ  Ｃｏｍｐａｃｔ  Ｄｉｓｃ）が存在する。更に、音楽専用のＣＤとしてＣＤ−ＤＡ（Ｃｏｍｐａｃｔ  Ｄｉｓｃ  Ｄｉｇｉｔａｌ  Ａｕｄｉｏ）があり、これは音楽をサンプリング周波数４４．１ｋＨｚ、量子化１６ビットのＰＣＭ方式でデジタル録音したもので、アナログレコードと違って何度聞いても音質が劣化しないという特徴がある。
【００１７】
ＤＶＤは、通称、大容量光ディスクのことである。
【００１８】
このようにして、ユーザの好みに応じて映像や音声、更にはテキストデータ等を混在して記録してあるＣＤ或いはＤＶＤを、以下、データ光ディスクと呼ぶ。
【００１９】
制御部１８は、図２に示すように、チャンネルｃｈ０及びｃｈ１シリアルバス及びパラレルバスを介して様々な制御をするシステムコントローラ２１と、このシステムコントローラ２１に接続され、電源をオフにしても所定のデータを保存してなるメモリ２２と、チャンネルｃｈ０シリアルバスに接続されている表示用マイコン２３と、チャンネルｃｈ１シリアルバスに接続されている音声を制御するサラウンド２４及びＤＡコンバータ２５と、パラレルバスに接続されている制御用のデータを蓄積してなるメモリ２６、スタティックメモリ２７と、コンテンツ媒体である光ディスク２８のデータを読取るディスク読取部２９と、パラレルバスに接続されディスク読取部２９で読取ったデータを入力してデコードするＤＶＤ−ビデオデコーダ３０と、暗号解読部３１とメモリカード１６のデータをデコードするデコーダ３２と、ディスク読取部２９に接続するメモリ３３と、ＤＶＤ−ビデオデコーダ３０に接続する第１のメモリ３４及び第２のメモリ３５と、ＤＶＤ−ビデオデコーダ３０のノイズを消去するノイズリダクション３６と、ＤＶＤ−ビデオデコーダ３０とデコーダ３２との信号を切換えるセレクタ３７と、ＤＶＤ−ビデオデコーダ３０からのコンポジット信号を出力するコンポジット出力部３８と、からなる。  この中で、ＤＡコンバータ２５の出力信号がオーディオアンプ３９に入力され、コンポジット出力部３８からの信号がＴＶディスプレイ４０に入力され、表示用マイコン２３からの表示信号が本体表示部４１に出力される。
【００２０】
このような構成において、システムコントローラ２１には、▲１▼最初に再生するファイルの種類をユーザの選択により決定すべきかどうかを判断する演算部を備え、▲２▼ユーザにファイルの種類を問い合わせるユーザインターフェース部を備え、▲３▼ユーザの入力により再生ファイルを検索抽出を行なうファイル情報取得部、▲４▼フィルタを再生する再生部を組み合わせたプログラムを解読して実行する。
【００２１】
このようなプログラムを搭載した制御部１８における動作、即ち、複数の異なる種類のコンテンツ媒体である光ディスクの種類を特定し、且つ所望のファイルを検索抽出することについて、▲１▼データ光ディスクを所定のボタンをオンすることにより複数の異なった種類のファイルを選択する手法、▲２▼データ光ディスクを自動判別した後に、ファイルの種類を選択する手法、について、図３及び図４のフローチャートを参照して、以下説明する。
【００２２】
▲１▼データ光ディスクを所定のボタンをオンすることにより複数の異なった種類のファイルを選択する手法は、図３に示すように、先ず、ユーザが再生ファイルの種類を選択するためのアクション、例えば“１”のボタンを押すと、次に、複数の異なった種類のファイルを選択することができるようになる（ステップＳＴ１１）。
【００２３】
例えば、“２”のボタンを押すと種類１のファイルの検索抽出が行なわれ（ステップＳＴ１２）、“３”のボタンを押すと種類２のファイルの検索抽出が行なわれ（ステップＳＴ１３）、“４”のボタンを押すと種類３のファイルの検索抽出が行なわれ（ステップＳＴ１４）、“５”のボタンを押すと種類４のファイルの検索抽出が行なわれ（ステップＳＴ１５）、所望のファイルの再生が行なわれる（ステップＳＴ１６）。
【００２４】
このように、例えば、光ディスク等の記録媒体上において、例えば、画像と音声など複数の種類の再生可能なファイルが存在し、その中から任意のファイルをユーザが選択する場合、再生装置が再生可能ファイルを検索抽出する為の処理時間は記録されているファイルが多くなればあるほど長くなる。本発明は、上述したフローチャートで示したように、再生可能ファイルの検索抽出処理を行なう前に再生したいファイルの種類をユーザに選択させるインターフェースを用いて、不用なファイルを検索抽出する時間を削減し、最短時間でユーザの意図するファイルの再生を開始することができるのである。
【００２５】
更に具体的に示せば、今、音声のファイルと画像のファイルが存在しているとすると、従来であれば、これら両者のファイルをメモリに展開した後に、ユーザに選択させるため、両者のファイルが展開できるメモリ容量を確保する必要がある。しかし、本願発明によれば、両者のファイルを展開する前にどちらかのファイルの種類を選択するようにしたことにより、どちらか一方の選択された側のファイルをメモリに展開すればよい。
【００２６】
このことは、１つのメモリに選ばれた種類のファイルが展開できる。
【００２７】
次に、▲２▼データ光ディスクを自動判別した後に、ファイルの種類を選択する手法について、図４に示すフローチャートを参照して、以下説明する。
【００２８】
先ず、光ディスク装着部１２にコンテンツ媒体である光ディスクが装着されると、自動的にその光ディスクの種類を判別する操作が行なわれ、ＤＶＤの光ディスクであればＤＶＤと決定する（ステップＳＴ２１、ＳＴ２２）。
【００２９】
ステップＳＴ２１において、ＤＶＤではない場合には、次にＣＤ―ＤＡであるかを判別し、ＣＤ−ＤＡである場合にはＣＤ−ＤＡと決定する（ステップＳＴ２３、ＳＴ２４）。
【００３０】
ステップＳＴ２３において、ＣＤ−ＤＡでない場合には、次に、ＶＣＤであるかを判別し、ＶＣＤであれば、ＶＣＤであると決定する（ステップＳＴ２５、ＳＴ２６）。
【００３１】
次に、ステップＳＴ２５において、ＶＣＤでない場合には、次に、データ光ディスクであると決定し、ユーザが再生するファイルの種類を選択する(ステップＳＴ２７)。
【００３２】
そして、例えば、操作ボタンの“１”のボタンを押すと種類１のファイルの検索抽出が行なわれ（ステップＳＴ２８）、“２”のボタンを押すと種類２のファイルの検索抽出が行なわれ（ステップＳＴ２９）、“３”のボタンを押すと種類３のファイルの検索抽出が行なわれ（ステップＳＴ３０）、“４”のボタンを押すと種類４のファイルの検索抽出が行なわれ（ステップＳＴ３１）、所望のファイルの再生が行なわれる（ステップＳＴ３２）。
【００３３】
【発明の効果】
上記説明したように、本発明に係るファイル選択方法及び再生装置においては、複数の異なった種類のファイル、例えば、映像のファイルと音声のファイルを再生する前に、どちらかのファイルを選択するようにし、選択されたファイルの再生するようにしたことにより、展開するメモリ容量を少なくすることができるばかりでなく、そのファイルをアクセスする時間を短縮させることができるという効果がある。
【図面の簡単な説明】
【図１】本発明に係る再生装置を略示的に示した全体構成図である。
【図２】同制御部のブロック図である。
【図３】同データ光ディスクフィルタ選択フローチャートである。
【図４】同データ光ディスク自動判別ファイル選択フローチャートである。
【図５】従来技術におけるファイル選択の様子を示したフローチャートである。
【符号の説明】
１１；光ディスク再生装置、１２；光ディスク装着部、１３；ランプ、１４；操作ボタン、１５；ランプ、１６；メモリカード、１７；メモリカード装着部、１８；制御部、２１；システムコントローラ、２２；メモリ、２３；表示用マイコン、２４；サラウンド、２５；ＤＡコンバータ、２６；メモリ、２７；メモリ、２８；光ディスク、２９；ディスク読取部、３０；ＤＶＤ−ビデオデコーダ、３１；暗号解読部、３２；ＣＤデコーダ、３３；メモリ、３４；第１のメモリ、３５；第２のメモリ、３６；ノイズリダクション、３７；セレクタ、３８；コンポジット出力部、３９；オーディオアンプ、４０；ＴＶディスプレイ、４１；本体表示部。
【図１】
0003826398.tif 000002
【図２】
0003826398.tif 000003
【図３】
0003826398.tif 000004
【図４】
0003826398.tif 000005
【図５】
0003826398.tif 000006